(57)【要約】単一フォトン放出コンピュータ断層撮影システムは、フォトン放出放射性同位体の３次元分布を表す形式の複数の断層画像を生成する。システムは、患者の一部が視野内に位置するように患者を支持するための患者支持体を含むベースを有する。縦方向軸線が視野を通るように定められる。検出器モジュールは視野に隣接し、フォトン応答検出器を含む。検出器は、フォトンが検出器に衝突したかどうかを検出するように動作可能である。視野と検出器との間にフォトン遮断部材を位置決めする。遮断部材は、アパーチャスロットに位置が合ったフォトンを通過させるアパーチャスロットを有する。検出器からアパーチャを通る応答ラインを定める。コリメーション組立体は、フォトン減衰材料で作られた複数のほぼ平行なコリメートベーンを含む。ベーンは、各隙間が高さを有する複数の隙間を見出すように間隔を置いて配置される。ベーンの各々は、視野に配向された前縁と検出器に配向された後縁とを有する。ベーンの各々の前後深さは、隙間の１０倍より大きい。複数のベーンが検出器と視野との間に配置され、隙間の１つを通過するフォトンのみが視野から検出器まで進むことができるようにする。変位装置は、検出器モジュール又はフォトン遮断部材の何れかが他方に対して移動させ、アパーチャが検出器に対して変位し、応答ラインが視野の少なくとも一部にわたって掃引するようにする。
2006516742.tif 000002
【特許請求の範囲】
【請求項１】
フォトン放出放射性同位体の３次元分布を表す形式の複数の断層画像を生成するための単一フォトン放出コンピュータ断層撮影システムであって、
患者の胴体の一部が視野内に位置するようにヒト患者を支持するための患者支持体を含み、縦方向軸線が視野を通して定められるベースと、
フォトンが衝突したかどうかを検出するよう動作可能なフォトン応答検出器を含み、前記視野内に位置する患者の胴体の一部から放出されるフォトンをスキャンするよう動作可能な前記視野に隣接する検出器組立体と、
前記視野と前記検出器との間に配置され、位置が合ったフォトンを通過させるため貫通して形成されたアパーチャスロットを有する、前記検出器から前記アパーチャを通して応答ラインが定められたフォトン遮断部材と、
フォトン減衰材料で作られた複数のほぼ平行なコリメートベーンを含むコリメーション組立体であって、前記ベーンが複数の隙間を定めるように間隔を置いて配置され、前記各隙間が高さを有し、前記ベーンの各々が前記視野に配向された前縁と前記検出器に配向された後縁とを有し、前記ベーンの各々の前後深さが前記隙間の各々の高さの１０倍より大きく、前記隙間の１つを通過するフォトンだけが前記視野から前記検出器まで進むことができるように前記複数のベーンが前記検出器と前記視野との間に配置されるコリメーション組立体と、
前記検出器及び前記フォトン遮断部材の一方を前記検出器及び前記フォトン遮断部材の他方に対して移動し、前記アパーチャが前記検出器に対して変位し、前記応答ラインが前記視野の少なくとも一部を掃引するように動作可能な変位アクチュエータと、
を備えることを特徴とするシステム。
【請求項２】
前記ベーンの各々の深さが前記隙間の各々の高さの２０倍より大きいことを特徴とする請求項１に記載のシステム。
【請求項３】
前記ベーンの各々の深さが前記隙間の各々の高さの３０倍より大きいことを特徴とする請求項１に記載のシステム。
【請求項４】
前記ベーンの各々の深さが前記隙間の各々の高さの３３倍以上であることを特徴とする請求項１に記載のシステム。
【請求項５】
前記ベーンの各々の厚さが１ｍｍ以上であることを特徴とする請求項１に記載のシステム。
【請求項６】
前記ベーンの各々の深さが１００ｍｍ以上であることを特徴とする請求項１に記載のシステム。
【請求項７】
前記ベーンの各々の深さが１５０ｍｍ以上であることを特徴とする請求項１に記載のシステム。
【請求項８】
前記縦方向軸線がほぼ垂直であり、その結果、患者の頭が腰より実質的に高い状態で患者の胴体がほぼ垂直に延びるようになることを特徴とする請求項１に記載のシステム。
【請求項９】
前記ベースが、患者の腰を支持するためのほぼ水平な下側部分と、患者の後部を支持するほぼ垂直な後部分とを有する椅子様構造体を含むことを特徴とする請求項８に記載のシステム。
【請求項１０】
前記検出器組立体が、少なくとも部分的に前記視野を取り囲むほぼ弓形のハウジングを含むことを特徴とする請求項９に記載のシステム。
【請求項１１】
前記弓形ハウジングが前記ベースの後部分と相互に連結して、患者が前記下側部分に座ったときに前記ハウジングが部分的に患者の胴体を囲むようにし、前記ハウジングが、前記視野への進入開口を定めるように間隔を置いて配置された１対の端部間にほぼ弓形に延びることを特徴とする請求項１０に記載のシステム。
【請求項１２】
前記コリメートベーンが、前記フォトン遮断部材と前記検出器との間に配置されることを特徴とする請求項１に記載のシステム。
【請求項１３】
放射線透過性材料が、前記ベーン間の隙間に配置されることを特徴とする請求項１に記載のシステム。
【請求項１４】
前記コリメートベーンが前記縦方向軸線に対してほぼ垂直であることを特徴とする請求項１に記載のシステム。
【請求項１５】
前記コリメートベーンが前記縦方向軸線に対して角度を成すことを特徴とする請求項１に記載のシステム。
【請求項１６】
前記アパーチャスロットが縦方向軸線にほぼ平行であることを特徴とする請求項１に記載のシステム。
【請求項１７】
前記アパーチャスロットが、前記ベーンの少なくとも幾つかに対してほぼ垂直であることを特徴とする請求項１に記載のシステム。
【請求項１８】
フォトン放出放射性同位体の３次元分布を表す形式の複数の断層画像を生成するための単一フォトン放出コンピュータ断層撮影システムであって、
患者の胴体の一部が視野内に位置するようにヒト患者を支持するための患者支持体を含み、縦方向軸線が視野を通して定められるベースと、
フォトンが衝突したかどうかを検出するよう動作可能なフォトン応答検出器を含み、前記視野内に位置する患者の胴体の一部から放出されるフォトンをスキャンするよう動作可能な前記視野に隣接する検出器組立体と、
前記視野と前記検出器との間に配置され、位置が合ったフォトンを通過させるため貫通して形成されたアパーチャスロットを有する、前記検出器から前記アパーチャを通して応答ラインが定められたフォトン遮断部材と、
フォトン減衰材料で作られた複数のほぼ平行なコリメートベーンを含むコリメーション組立体であって、前記ベーンが複数の隙間を定めるように間隔を置いて配置され、前記ベーンの各々が前記視野に配向された前縁と前記検出器に配向された後縁とを有し、前記ベーンの各々の前後深さが１００ｍｍ以上であり、前記隙間の１つを通過するフォトンだけが前記視野から前記検出器まで進むことができるように前記複数のベーンが前記検出器と前記視野との間に配置されるコリメーション組立体と、
前記検出器及び前記フォトン遮断部材の一方を前記検出器及び前記フォトン遮断部材の他方に対して移動し、前記アパーチャが前記検出器に対して変位し、前記応答ラインが前記視野の少なくとも一部を掃引するように動作可能な変位アクチュエータと、
を備えることを特徴とするシステム。
【請求項１９】
フォトン放出放射性同位体の３次元分布を表す形式の複数の断層画像を生成するための単一フォトン放出コンピュータ断層撮影システムであって、
患者の胴体の一部が視野内に位置するようにヒト患者を支持するための患者支持体を含み、縦方向軸線が視野を通して定められるベースと、
フォトンが衝突したかどうかを検出するよう動作可能なフォトン応答検出器を含み、前記視野内に位置する患者の胴体の一部から放出されるフォトンをスキャンするよう動作可能な前記視野に隣接する検出器組立体と、
フォトン減衰材料で作られた複数のコリメートベーンを含むコリメーション組立体であって、前記ベーンが複数の隙間を定めるように間隔を置いて配置され、前記隙間が各々高さを有し、前記ベーンの各々が前記視野に配向された前縁と前記検出器に配向された後縁とを有し、前記ベーンの各々の前後深さが前記隙間の各々の高さの１０倍より大きく、前記視野から前記検出器まで進むフォトンが前記隙間の１つを通過することができるように前記複数のベーンが前記検出器と前記視野との間に配置されるコリメーション組立体と、
を備えることを特徴とするシステム。
【請求項２０】
フォトン放出放射性同位体の３次元分布を表す形式の複数の断層画像を生成するための単一フォトン放出コンピュータ断層撮影システムであって、
患者の胴体の一部が視野内に位置するようにヒト患者を支持するための患者支持体を含み、縦方向軸線が視野を通して定められるベースと、
フォトンが衝突したかどうかを検出するよう動作可能なフォトン応答検出器を含み、前記視野内に位置する患者の胴体の一部から放出されるフォトンをスキャンするよう動作可能な前記視野に隣接する検出器組立体と、
フォトン減衰材料で作られた複数のコリメートベーンを含むコリメーション組立体であって、前記ベーンが複数の隙間を定めるように間隔を置いて配置され、前記隙間が各々高さを有し、前記ベーンの各々が前記視野に配向された前縁及び前記検出器に配向された後縁とを有し、前記ベーンの各々の前後深さが１００ｍｍ以上であり、前記視野から前記検出器まで進むフォトンが前記隙間の１つを通過することができるように前記複数のベーンが前記検出器と前記視野との間に配置されるコリメーション組立体と、
を備えることを特徴とするシステム。
【発明の詳細な説明】
【背景技術】
【０００１】
医療用放射性核種イメージング（核医学）は、現代医療業務の主要な構成要素である。この技法には、通常はトレーサ量の放射性材料を注入により投与し、続いて、これを調査対象の器官系の生理学的機能に応じた方法で体内に局在化することが含まれている。殆どの場合ガンマフォトンである放射性トレーサの放出物は、体外の検出器で撮像され、体内の放射性トレーサ分布のマップを生成する。適切な訓練を受けた医師が判読すると、これらの画像から臨床診断及び疾病の治療に極めて価値のある情報が得られる。この技術の典型的な応用には、冠動脈疾患の検出（タリウムスキャン）及び骨の癌性関連の検出（骨スキャン）が含まれる。膨大な量の臨床放射性核種イメージングは、γ線放出放射性トレーサ及び「ガンマカメラ」として知られている検出器を用いて行われる。
【０００２】
ガンマカメラは、通常、γフォトンが衝突すると発光する性質を有する大きなシンチレーション結晶（例えばヨウ化ナトリウム）からなる。この結晶の後部に固定されているのは複数の光電子増倍管であり、該光電子増倍管は、光フラッシュを検出し、シンチレーション結晶内の位置を特定するための付随する回路を備えている。結晶の前部には、通常複数の穴が貫通する数ミリメートルの鉛からなるコリメータがある。コリメータは、ほぼ適切な方向から結晶に接近するフォトンを除く全ての入射フォトンを吸収する働きをする。結晶、光電子増倍管、及び付随する回路は通常、大きな鉛のケース内に密閉され、該ケースは、望ましくない外部放射から検出器を遮断する働きをする。装置全体は、検出器を患者近傍に位置決めするためのモータ駆動式装置を備えたガントリ上に取り付けられる。
【０００３】
ガンマカメラにより、放射性トレーサ分布の２次元画像が得られる。しかしながら、体内の放射性トレーサの分布は、通常は３次元である。単一フォトン放出型コンピュータ断層撮影法（ＳＰＥＣＴ）技術は、コンピュータ処理を用いて患者の周りで複数の角度から得られる一連の２次元ガンマカメラ画像から３次元トレーサ分布を「再構成」することにより「放射性核種ＣＴスキャン」と同様の３次元断層撮影画像を生成するのに使用される。これは、１つ又はそれ以上のガンマカメラをモータ駆動ガントリに取り付け、これを患者の周りに周回させることによりほぼ例外なく達成される。次に、このようにして収集されたデータを処理して３次元画像を得る。
【０００４】
３次元ＳＰＥＣＴ画像は、高度な画像コントラストをもたらし、身体構造の明らかな重なりを低減することが実証されている。ＳＰＥＣＴイメージングは、現在、心臓の放射性核種イメージングの最新技術と考えられ、米国で行われている全ての心臓の放射性イメージングの半分を超える部分を占める。
【０００５】
ＳＰＥＣＴイメージングは、多くの利点があるにもかかわらず、未だこれから恩恵を受ける可能性がある全ての患者が利用可能という訳ではない。現行のＳＰＥＣＴ機器には、その広範な実施を妨げる幾つかの欠点がある。
【０００６】
現行のＳＰＥＣＴシステムは、嵩高で、通常はこれを収容するための大きな専用の部屋を必要とする。コリメートシステムは、比較的効率が悪く、放射される放射線のうちの大きな割合を遮断する。従って、殆どの新しい臨床システムでは、単一のガントリ上に装着された２つ又はそれ以上のガンマカメラ検出器を同時に用いる。各検出器は、典型的には数百ポンドの重さであるので、支持ガントリは大きく且つ重くする必要がある。殆どのＳＰＥＣＴ機器は、フロア補強を追加した特別構成の部屋を必要とする。正確に画像を再構成するためには検出器を正確に配置することが必要であるので、ＳＰＥＣＴシステムには、数百ポンドの機器を約ミリメートルの精度で移動させて位置決めすることができるモータ及び歯車装置からなる重い位置決めシステムを必要とする。これらのシステムは、必然的に大きく、重く、高価である。
【０００７】
診療室、救急救命室、及び集中治療室を含む種々の環境で患者を撮像する医学的必要性は大きいが、サイズが非常に大きく嵩張る現行のＳＰＥＣＴシステムでは、固定位置、典型的には病院の放射線医学又は核医学部門に置く必要がある。主治の心臓内科医の直接立ち会いで心臓ＳＰＥＣＴイメージングを行うと、医学的及び患者の相当な利便上の利点がある。多くの研究で、外来診療室環境で行われる治療の費用の方が、病院環境での費用よりも少ないことが示されている。これらの抑えがたい因子があるにもかかわらず、現行のシステムの大きさ及び費用の制約により、地域社会への浸透が大幅に制限され、特に、診療所での利用可能性が制限される。加えて、現行システムは大きなスペースを必要とするため、ＳＰＥＣＴサービスを提供する病院に相当な費用がかかる。
【０００８】
現行のＳＰＥＣＴシステムには別の制限がある。ガンマカメラが患者の周りを周回するときに、各検出器との間で電力及びデータを送受するために大きな多芯ケーブルを必要とする。これらのケーブルは、システムの作動中に繰り返し屈曲するので、装置の故障の原因となることが多い。
【０００９】
既存のシステムは大きく重い性質を有するので、必然的に機械的ガントリの設計は安定性に優れ、更に費用効果にも優れたものにされる。このため、患者は、狭いプラットフォーム上で垂直配向のガントリに延びた仰臥位（仰向け）で横たわることが必要なシステムとなる。検出器を胸にできるだけ近接させ、移動する大きな検出器を患者の周りに安全に通過できるようにするために、現行のシステムでは、患者が片腕又は両腕を頭上の不自然な位置に保持する必要がある。これは、多くの患者にとって苦痛であり、これができない患者もいる。加えて、仰臥位は、多くの患者、特に背中に問題を抱えた患者には不快である。装置の内部では閉所恐怖感を感じる患者が多い。カメラが患者の周りを回転できるようにするためにプラットフォームを狭くすることが必要であるため、大柄な人には不快であり、スキャンを受ける人が不安又は危険を感じることが多い。また、患者がイメージング中に部分的に装置に閉じ込められることにより、重症の患者へ医師又は看護者がアクセスすることが制限される可能性がある。
【発明の開示】
【００１０】
本発明による単一フォトン放出コンピュータ断層撮影（ＳＰＥＣＴ）システムは、フォトン放出同位体の３次元分布を表す形式の複数の断層画像を生成するように設計されている。本システムは、患者の一部が視野内に位置するように患者を支持するためのベースを含む。縦方向軸線は、視野を通るように定められる。検出器モジュールが視野に隣接して設けられる。モジュールは、フォトンが検出器に衝突したかどうかを検出するように動作可能なフォトン応答検出器を含む。検出器組立体は、視野内に位置する患者の胴体の一部から放出されるフォトンをスキャンするように動作可能である。フォトン遮断部材は、視野と検出器との間に配置される。遮断部材は、位置が合ったフォトンを通過させるため貫通して形成されたアパーチャスロットを有する。応答ラインは、アパーチャを通して検出器から定められる。コリメータ組立体は、光減衰材料で作られた複数のほぼ平行なコリメータベーンを含む。ベーンは、各隙間が高さを有する複数の隙間を定めるように間隔を置いて配置される。ベーンの各々は、視野に配向された前縁と検出器に配向された後縁とを有する。ベーンの各々の前後深さは、隙間の各々の高さの１０倍より大きい。隙間の１つを通過するフォトンのみが視野から検出器まで進むことができるように複数のベーンが検出器と視野との間に配置される。変位アクチュエータは、検出器とフォトン遮断部材の一方を検出器とフォトン遮断部材の他方に対して移動させ、アパーチャが検出器に対して変位して応答ラインが少なくとも視野の一部にわたって掃引するように動作可能である。
【発明を実施するための最良の形態】
【００１１】
本説明全体を通して、好ましい実施形態及び実施例は、本発明を限定するものではなく例証とみなすべきである。
Ｉ．総括
本発明は、単一フォトン放射型コンピュータ断層撮影法（ＳＰＥＣＴ）を実施するためのシステムを含む。本システムは、通常１８０°〜３６０°にわたる円弧体の周りに位置付けられるのが好ましい複数の放射線検出器モジュールから構成される放射線検出器組立体を含む。面内（軸方向）コリメーションは、放射線検出器組立体の角度範囲（典型的には１８０°〜３６０°）と同様の角度範囲にわたって延びる可動円弧体又はリングにより行われる。面交叉（縦方向）コリメーションは、静止位置に保持され横断面（縦方向軸線に垂直）に平行に配向されたフォトン減衰材料の複数のベーン又はシートによって行われる。任意選択的に、これらのベーンは、Ｓｔｙｒｏｆｏａｍ（登録商標）又は他のプラスチックのような放射線透過性スペーサ材料のシートにより分離することができる。また、本発明の幾つかの実施形態には、患者用椅子又は支持構造体も含まれる。
【００１２】
ＩＩ．椅子、円弧体構成、及び患者位置決めに関する考察
図１ａ及び図１ｂは、心臓ＳＰＥＣＴに最適化された本発明の好ましい実施形態の図であり、システム１００の全体構成及び患者１０２の位置決めを示している。患者の出入り用開口部１０４が示されている。システムのイメージングセクション１０６は、患者の胸部の右側にわたって円弧体として延びる。イメージングセクションは、以下で説明するような内部構成要素を有する鉛遮断ハウジングからなる。イメージングセクションは、ベース１１０に固定されたスタンド１０８により支持される。同時に、イメージングセクションの後側部分及びスタンドは、患者支持体の「後部」を形成する。患者は、調整可能シート１１２に座る。このシートの垂直方向高さは、患者の心臓がイメージング装置の適切な部分内に位置付けられるように調整することができる。このような調整は、電動モータ、油圧装置又は他の手段により行うことができる。シートは、任意選択的に、水平方向に旋回するように調整可能であり、従って、患者の着座位置の出入りが容易になる。また、スタンド及びベースは、スキャン処理に必要な電子機器、並びに任意の必要な制御装置及び表示装置を含み、又は支持することができる。
【００１３】
図示のように、先行技術のシステムとは異なり、患者は、胴体がほぼ垂直になるようにほぼ直立して着座している。本システムを軽量化し、設計を簡素化して、更に嵩を低減することと相まって、このような位置決めが可能になる。定義付けのために、イメージングセクション１０６により囲まれた領域を、視野と呼ぶことにする。また、定義付けのために、患者の胴体の縦方向軸線とほぼ一致する縦方向軸線は、視野を通って延びているといえる。縦方向軸線はほぼ垂直であり、患者に水平姿勢を強制する通常のシステムと本発明のシステムの位置決めを区別されるということができる。実際に、ほぼ垂直な縦方向軸線は、図示のように幾分傾いており、患者をより快適にすることもできる。
【００１４】
当業者には明らかなように、特定の関心のある患者の一部に関するデータを収集するために患者の適切な部分を撮像することが極めて重要である。例えば、本発明の好ましい実施形態は、患者の心臓を撮像するように設計される。従って、撮像されている部分又はスライスが患者の心臓を含むことが重要である。しかしながら、患者の胸部内の心臓の正確な位置は、外部検査から常時容易に決定されるとは限らない。従来のシステムでは、オペレータが残像オシロスコープ（ｐ−ｓｃｏｐｅ）として知られる低分解能の２次元ディスプレイで見ながら、患者を検出器の前に位置決めする。残像オシロスコープ画像は、患者を再位置決めする際に連続的に更新する必要があり、且つその画像の特性が２次元であることから必然的に低品質である。患者の位置決めの際のオペレータ誤差は珍しいことではなく、これが起こると無用なスキャンとなる。本発明の別の態様によれば、心臓スキャンでは、患者の胸部の「クイックスキャン」を先行させて、心臓を適切に位置決めするよう椅子の位置を調整し、心臓がイメージングセクション１０６で撮像するのに適切に位置決めされるようになる。
【００１５】
幾つかの理由により本発明で「クイックスキャン」は可能であるが、これは、本明細書全体を評価すると明らかになるであろう。本発明の技術のシステムは、３次元イメージングを収集するために患者を部分的に周回させる必要がある。迅速な３次元位置決め画像を得ようとする場合には、大きく重い（典型的には４５０〜５００ポンド）検出器の移動を数秒内に作動・停止する必要がある。これは、何れも機械的にも困難であり、大きく重い検出器を迅速に動かすので患者を害する可能性がある。本発明は、イメージングセクション１０６の視野内で患者の一部を撮像するためにアパーチャ円弧体を動かすことだけが必要である。アパーチャ円弧体は、ハウジングの内部の患者から隠されていることが好ましく、先行技術のガンマカメラよりも遥かに急速且つ安全に移動することができる。また、長い距離を移動する必要があるガンマカメラとは異なり、完全スキャンは、円弧体が短い距離を移動することだけを必要とする。加えて、本発明は、先行技術の装置よりもより迅速に画像データを収集する。従って、ハウジング内でアパーチャ円弧体を迅速に移動させることによって、高速でカウントの少ない３次元画像収集することができる。このカウント数の少ない画像は、最新のコンピュータを用いてほぼ瞬時に再構成し、スライスとして、又は好ましくは回転表面レンダリング又は最大強度投影画像として直ちに表示することができる。このようなボリュームレンダリング画像は、下にいる患者の生体組織を明確に明らかにし、これらを用いて、所定の高カウント数イメージングを開始する前に心臓の位置を確実に求めることができる。
【００１６】
シート１１２が上下方向に調整可能な本発明の実施形態では、撮像しているスライスの位置を調整するように、２つの画像収集間に任意選択的に椅子の位置を調整可能である。幾つかの実施形態において、移動が極めて僅かであり、そのためコリメータの作用を補償することができるようにし、これは以下でより詳細に説明する。また、椅子の位置は、画像収集中に上方向き又は下方向きに調整することができる。
【００１７】
当業者には公知のように、イメージング中の患者の移動は、殆どのイメージングシステムにとって重要な問題である。殆どのシステムでは、患者は、かなり不快な仰臥位又は腹臥位で狭い水平面に横たわる必要がある。この体位は、背中に問題を抱える患者又は横になると呼吸が困難になる多くの心臓病患者にとっては不快であることが多い。多くの場合、これによりスキャン中に患者が動くことになる。現行技術のシステムの移動検出器に対応するために、患者は、イメージング手順の期間に頭上に腕を保持する必要がある。これは、多くの患者、特に肩関節炎の患者にとって極めて不快である。現行装置の大きな金属製検出器の下に横たわると、多くの患者は不安又は閉所恐怖を経験する。不快又は不安を感じている患者は、通常は快適になろうとして姿勢を調整する。このような移動は、画像収集中に起こると画像アーチファクトを生じさせ、これにより所見及び後続の治療が不正確になる可能性がある。この問題は、スキャン時間が長いと悪化する。図１ａ及び図１ｂに示すように本発明により使用可能な患者の垂直方向の位置決めは、患者の快適さ及び安定性を有意に改善する。これは、背中及び心臓病の患者にはとりわけ快適である。腕は頭上に保持する必要はない。本発明のオープン設計によって閉所恐怖も排除される。この結果、患者の快適さ及び安心感が増大し、運動が低減される。また、本発明の幾つかの実施形態により、スキャン時間を有意に低減することができるため、患者の動きを低減することができる。
【００１８】
ＩＩＩ．１次元固体検出器モジュール（ストリップ）の全体考察
図２は、個々の検出器モジュール１５０の１つの実施形態を示す。複数（通常は６４）の個々のモジュールは、患者の周りに円弧状で配列される。この円弧は、ほぼ１８０°〜３６０°の範囲にわたって延びることができる。心臓のＳＰＥＣＴでは、好ましい実施形態は、約１８０°である。図示の実施形態は、心臓イメージング用の大きさにされた固体検出器モジュールである。他の検出器モジュールの実施形態を以下で検討する。図示のように、検出器モジュール１５０は、細長いストリップである。検出器の表面上の矩形領域は、個々の固体検出器素子１５２のアレイを示し、各々がデータ収集用の１つのピクセルを含む。この実施形態では、検出器素子のアレイは、１次元、即ち１×Ｎであるが、２次元アレイを用いることもできる。多芯リボンケーブル１５４は、検出器素子から信号を処理する電子機器まで電気信号を伝送する。或いは、処理回路の一部は、検出器素子と一体化してもよく、又は検出器素子によりパッケージ化してもよい。
【００１９】
各検出器素子１５２は、フォトンが衝突したかどうかを検出するように動作可能である。従って、検出器１５０全体が、フォトンが衝突したかどうかを検出するよう動作可能であると共に、長さに沿ってフォトンが衝突した位置を求めるようにも動作可能である。各検出器素子は、対向する表面に電極が付加されたテルル化カドミウム亜鉛のような特定の半導体材料を含む。電位は、電極間に印加される。当業者には明らかであるように、フォトンが前部電極を通過し、半導体材料と相互作用すると、電極間に小電流が流れる。この電流を測定して、フォトンの衝突を感知する。
【００２０】
本発明は、最初に上述の検出器素子を用いるように説明されたが、本発明の他の実施形態では、本明細書の以下に詳細に説明するような他の検出器設計を利用する。
【００２１】
ＩＶ．アパーチャ円弧体全体考察
図３は、心臓のＳＰＥＣＴ用に最適化された本発明の実施形態のアパーチャ円弧体１７０を示す。単一の放射線検出器モジュール１７２が円弧体の後方に示され、相対的位置関係を実際に示している。図示のように、検出器モジュールは、縦方向軸線にほぼ平行である。円弧体１７０は、フォトン遮断部材として働き、鉛又は同様の高度減弱材料で作ることができる。円弧体１７０は、その後方に位置する放射線検出器モジュール１７２を覆うのに十分な高さがある。円弧体は、患者から放射されるフォトンを本質的に完全に吸収する十分な厚さ（通常約３ｍｍ）がある。円弧体には、一連の垂直方向のアパーチャスロット１７４が貫通しており、これによりアパーチャスロットと位置が合ったフォトン１７６が患者からスロットを通って検出器モジュールに到達することができる。スロットは、患者の縦方向軸線にほぼ平行であることが好ましい。
【００２２】
図３では、円弧体１７０は、ほぼ矩形の形状のスロットが切り抜かれた連続部材として示されている。幾つかの実施形態において、スロットは、直線状に切り抜かれており、互いに平行な側部を有する。或いは、スロットは、図４〜図６に示すように側部に角度を付けて切り抜くこともできる。これらの図の各々は、スロットに対してほぼ垂直に見たスロットの断面を示している。図４は、円弧体１７０が先細の端部１７１を有する実施形態を示す。円弧体１７０は、一対の対向する表面を有するといえる。先細点１７１は、これらの対向する表面の各々から円弧体のほぼ中心平面にある点まで先細になる。簡単にするために、図４〜図６は、円弧体の一部をほぼ直線として示す。しかしながら、上記で検討したように、円弧体は実際には弓形である。
【００２３】
好ましくは、円弧体１７０は、スロット１７４を貫通するものを除いて実質的にフォトンの全てを遮断する。これらのフォトンを適切に遮断するために、鉛のような特定の厚さのフォトン遮断材料が必要である。先細点１７１は、円弧体の残りの部分よりも厚さが薄い。従って、これらは、タングステン又は金のような更に高いフォトン遮断能力を有する材料で作ることが好ましいが、鉛であってもよい。これらの先細点１７１は、典型的には円弧体１７０の残りの部分を形成する材料に接合される。或いは、縁部を含む円弧体は、鉛などの全て１つの材料とすることができる。図５及び図６は、先細点１７３及び１７５の別の実施形態を示す。これらの実施形態では、スロットの縁部は、前部から後部へ、又は後部から前部への何れかで先細となる。図４の実施形態では、この先細点は、円弧体の残りの部分よりもフォトン遮断能力が高い材料で形成することが好ましい。見る角度に関係なくスロットの縁部がより一貫性のある外観となるので、スロットの縁部は先が尖っていることが好ましい。即ち、方形化縁部を有するスロットは、ある角度から見たときに実質的に狭く見える場合がある。スロットの縁を先細にすることにより、スロットは、より浅い角度又は深い角度で見たときに更に一貫して効果的な幅を有する。これは、放射線は大きな角度でアパーチャに入る可能性があるので、本発明の設計では特に重要である。或いは、「点」は、丸くすることもできる。
【００２４】
本発明の幾つかの実施形態において、幅が調整可能なスロットを有することが好ましい。これにより、イメージングシステムの感度及び分解能を調整することができる。これはまた、較正を支援することもできる。図７及び図８は、幅が調整可能なスロットを設ける１つの方法を示す。図７は、円弧体に取り付けられた要素１７９を定める調整可能スロットを備えた円弧体１７７の一部の断面を示す。図８は、１つの調整可能な要素１７９を備えた円弧体１７７の一部の斜視図を示す。要素１７９の位置を円弧体１７７の残りの部分に対して調整することにより、スロット１７８の相対位置及び幅を調整することができる。図４〜図６の実施形態と同様に、端部要素１７９の薄い部分は、円弧体１７７の残りの部分よりも高いフォトン遮断能力を有する材料で形成するのが好ましい。端部要素１７９は、前後方向で先細であるように示されているが、図４〜図６に示す形状の何れであってもよく、或いは、スロットの縁部を更に方形又は円形にすることもできる。また、端部要素１７９は、対称である必要はない。更に、各スロットに単一の調整可能な要素を設け、スロットの他方の側部を可動でない縁部で形成することができる。当業者には明らかなように、端部要素１７９と円弧体１７７との間は、図示した方法以外の種々の方法で相互連結を形成することができる。また、当業者には明らかなように、スロット幅の調整も他の方法で達成することができる。
【００２５】
Ｖ．視野
図９Ａは、（上からの）患者の視野領域１８０、アパーチャ円弧体１８２及び検出器モジュール１８４の相対位置を図示している。検出器モジュールのセット及びアパーチャ円弧体が患者の周りに同心状に位置するのがわかる。心臓イメージングの１つの実施形態は、各々が個々の素子又はピクセルのアレイからなるほぼ６４個の放射線検出器モジュール１８４を含む。この実施形態では、アパーチャ円弧体１８２は、ほぼ３０ｃｍの半径ａで位置決めされ、検出器モジュール１８４は、ほぼ４０ｃｍの半径ｂで位置決めされている。ほぼ５０ｃｍの直径ｃを有する患者の視野領域は、円弧体１８２の内側に容易に適合する。アパーチャ円弧体１８２及び／又は検出器モジュール１８４のセットは、共通の円弧中心が縦方向軸線にある真の幾何学的円弧で配列することができる。或いは、片方又は両方を更に楕円形とするか、円弧中心を共有しない弓形とすることができる。例えば、円弧の中心は、円弧の半径が増大するように縦方向軸線から離れて位置付けることができる。また、円弧１８２及び／又はモジュールのセット１８４は、非弓形であってもよい。例えば、どちらかを一連の短い直線セグメントとして配列することもでき、或いは部分的に弓形で部分的に非弓形とすることもできる。別の実施例は、どちらかの弧の半径が異なる半径方向位置で異なり、曲率半径が「円弧」に沿って変化するようなる。
【００２６】
アパーチャ円弧体１８２を検出器１８４と相対的に移動させる変位手段が設けられる。当業者には明らかなように、多くの異なる方法を用いて、アパーチャ円弧体を移動させることができる。例えば、アパーチャ円弧体１８２をウォームギア又は他の構成によりモータに連結し、患者の縦方向軸線を中心に限定された角度で回転させることができるようにする。当業者には明らかなように、円弧体を静止させたままで検出器だけが動くようにすることができる。しかしながら、この方法は、一般に更に複雑で費用がかかる。スキャンからの情報を処理するために、円弧体の位置を正確に求めるための手段も備える。当業者には明らかなように、この手段を設けるためには、光学的エンコーダ及び機械的センサを含む多くの方法が利用可能である。また、感知手段を用いて、変位手段のフィードバック制御を行うこともできる。アパーチャ円弧体を移動するための１つの方法のより詳細な検討を以下に記載する。
【００２７】
ＶＩ．アパーチャ円弧体移動による掃引の考察
図１０ａ〜図１０ｃは、単一の検出器１９０及びアパーチャ円弧体の小セクション１９２を上から見た図を示す。この図は、アパーチャ円弧体１９２の３つの異なる回転位置での円弧体１９２と検出器１９０の相対位置を示している。各位置で、アパーチャスロット１９４の位置により、図示のように、検出器の応答ラインが特定の経路１９６に制約される。アパーチャスロット１９４が検出器１９０の前部で移動すると、検出器の見通し線は、患者にわたって扇形になり、複数の応答又は投影ラインが生成されるのがわかる。
【００２８】
図９Ａに示すような多数の検出器モジュール１８４、及び図３に示すような多数のアパーチャスロット１７４が存在するので、アパーチャ円弧体の各回転位置に多数の検出器応答ラインが形成される。図９Ｂは、アパーチャ円弧体２０４が回転するときに幾つかの検出器２０２から得られる少数のサブセットの応答ライン２００を示す。簡単にするために、アパーチャスロット自体はこの図には示されていない。患者の胸部を通る概略的な「スライス」２０６が示されており、これは、断層撮影の再構成に十分なフルセットの心臓投影図がこのようにして得られることを示している。
【００２９】
アパーチャ円弧体は、応答ラインが視野全体にわたって「掃引」するように連続的に移動するのが好ましい。或いは、アパーチャ円弧体は離散的段階で移動し、円弧体が各段階で停止するときイメージングを行うことができる。
【００３０】
ＶＩＩ．単一アパーチャスロットだけで照射される各検出器
全ての検出器は、常に１つのスロットのみを「通して見る」ことが好ましい。スロット間隔は、各検出器が一度に１つのスロットだけで照射されるように決められる。フォトン全体の検出効率は、アパーチャ円弧体内のスロット数に比例する。許容可能なスロットの最大数ｎslotは、アパーチャスロットで利用可能な光線の入射の最大角度を表す角度φarc、検出器円弧の半径、及びアパーチャ円弧体上の円弧θAの所与の長さなどのアパーチャ円弧体上の円弧の最小長さの関数であり、所与の検出器が一度に１つのスロットを通る患者の視野（θA）だけを見るようにする。
【００３１】
【数１】
2006516742.tif 000003
式中、ＲOは患者の半径、ＲAはアパーチャ円弧体の半径及び、ＲDは検出器弧の半径である。アパーチャ円弧体は、スロット間の間隔φarc／ｎslotで回転され、フルセットの角度投影を生じることが必要である。
【００３２】
本発明の１つの実施形態では、患者の半径ＲOは、最大２２ｃｍと仮定され、アパーチャ円弧体の半径ＲAは３０ｃｍ、検出器弧の半径ＲDは４５ｃｍである。検出器弧及びアパーチャ円弧体は、１８０度の角度φarcにわたり、弧の最小長さθAは３６度である。これらの値に対して、この等式により、どの検出器も一度に２つ以上のスロットを通して見ないようにするためには、５つのスロットがスロットの最大数であることがわかる。従って、フルセットの角度投影を得るためには、アパーチャ円弧体は角度３６度を通して回転することが必要なだけである。
【００３３】
上の等式及び解では、このスロットが弧に沿って等間隔で配置され、角度３６度で分離されていると仮定される。当業者には明らかなように、重大な問題は、実際にはスロット間の角度の分離であり、これによりスロット数が決まる。再び図３を参照すると、円弧体は５つのスロットを有するように示されているが、このうち１つは、図で見る角度によって屈曲部に隠れている。
【００３４】
上の等式及び考察により、スロット間の分離が３６度である５つのスロットが必要であるという結論に達するが、６番目のスロットを加えると有利である。図１１Ａは、円弧で配置された複数の検出器１９５、５つのアパーチャ１９７を有するアパーチャ円弧体１９６、及び視野１９８を備える本発明を概略的に示すものである。弧１９６は、時計回り位置の末端で示される。関心のあるフォトンが視野の何れかの場所から発生することができると仮定して、視野がどのように検出器の弧１９６上に「投影」されるかを示すように投影光線を引く。図示のように、幾つかのフォトンは、最後の検出器の時計回りの位置に投影され、従って、画像に寄与しない。同様に、反時計回り末端にある幾つかの検出器は、アパーチャ円弧体１９６の反時計回り末端ではアパーチャの「視界外」にあり、従って、この位置の弧には露出されない。検出器が露出されないことは、最適なシステム効率より劣ることを示す。
【００３５】
図１１Ｂは、その進行の中点でのアパーチャ円弧体を示す。図示のように、この位置では、全てのアパーチャ１９７を通る投影は、検出器１９５の位置と一致するため、無駄になるフォトンはなく、露出されない検出器もない。
【００３６】
図１１Ｃは、反時計回り位置末端でのアパーチャ円弧体１９６を示す。この位置では、検出器組立体の時計回り末端での検出器は、露出されず、反時計回り末端でのアパーチャを通過するフォトンの幾つかは検出されない。
【００３７】
この問題に対する１つの解決法は、より多数の検出器を設けることである。しかしながら、イメージングセクションの大きさが増大すると、装置コストが劇的に増大する。図１１Ｄに好ましい解決法を示す。アパーチャ円弧体２１２は、ここでは、視野２１８から検出器２１６上にフォトンを投影する６つのスロット２１４を有する。しかしながら、これらのスロット間の間隔は上式から求めたものと変わらない（この例では３６°）。図１１Ｄは、時計回り位置の末端の弧２１２を示す。図示のように、６番目のスロットを加えたことにより、全ての検出器が示されている。図１１Ｅは、進行範囲の中間においての弧２１２を示し、図１１Ｆは、反時計回り位置末端での弧を示す。ここでもやはり、全ての検出器２１６が全ての位置で照射されるため、光収集効率が上がる。「付加的な」スロットを加えることにより、入射するフォトンが検出器の弧の長さに完全に適合するようになる。この構成では、全ての検出器がアパーチャスロットを介して常時照射され、これによりフォトン検出効率が最適化される。
【００３８】
ＶＩＩＩ．斜めアパーチャ
再び図３を参照すると、スロット１７４は、ほぼ垂直なスロットとして示される。即ち、該スロットは視野の縦方向軸線に平行である。本発明の別の態様によれば、スロットは、図１２に示すように斜めとすることができる。図１２は、貫通する斜めアパーチャ２０８を有するアパーチャ円弧体２０７を含む組立体を示す。斜めアパーチャは、調整可能な側部要素２０９により定められるように示されるが、代替的に弧２０７に切り込んだスロットにより形成することもできる。また、上記のスロットの実施形態と同様に、スロット縁部は、上記で開示された形状の何れかを含む種々の形態で先細とすることができる。当業者には明らかであるように、弧２０７に沿って間隔を置いて複数のアパーチャを配置することが好ましい。簡単にするために、図１２には２つのアパーチャ２０８のみを示す。しかしながら、付加的なアパーチャがあることが好ましい。図１２は、本発明の付加的な態様を示しており、これは、コリメータ設計に関して以下で検討する。角度付のスロット又はアパーチャ２０８を「垂直」から僅かに傾いた角度からほぼ水平までの範囲の種々の角度で備えることができる。更に別の方法として、スロットは、患者軸線に対して完全に「水平」にすることができる。また、アパーチャは、図１２に示す角度に対して反対方向に角度を付けることもできる。
【００３９】
アパーチャが「垂直」でありコリメータが水平、又はその逆である本発明の実施形態においては、分解能は、垂直及び水平方向で異なる。本発明の好ましい１つの実施形態によれば、アパーチャは１方向でほぼ４５度の角度であり、コリメータは他の方向にほぼ４５度の角度である。横断面のイメージング平面に対してアパーチャ及びコリメータに角度を付けることにより、イメージング平面を生じる全分解能は、本質的に等方性、即ち全ての方向で同じになる。これは、用途によっては、特に再構成されたデータを斜めの角度の平面に沿って再フォーマットする必要がある場合に望ましい。
【００４０】
ＩＸ．コリメータ
再び図３及び図１１を参照すると、アパーチャ円弧体及び検出器のセットにより、横断面平面内でコリメーションされるが、縦方向にはコリメーションされていない投影データが得られる。このため、本発明は、図１３に示すように、縦方向又は断面平面コリメータのセットを備えることが好ましい。当業者には明らかなように、図１３に示すコリメータ設計は、図３に示すような「垂直」アパーチャ円弧体に用いるように設計される。縦方向コリメータは、図示のように配列された一連のスタック様の円弧状ベーン２２０からなり、図示の検出器２２２の円弧配列と同心円状に配置される。アパーチャ円弧体は、この図では省略しているが、縦方向コリメータベーンと同心円状に配置される。ベーンは、相互に平行であり、患者の縦方向軸線にほぼ垂直であることが好ましい。ベーンは、鉛又は同様の減衰材料のシート又はパネルであり、放射線透過性プラスチック発泡体又は同様の材料（図示せず）からなるスペーサで分離することができる。ベーンの数、大きさ、及び厚さは、用途に応じて変えることができる。
【００４１】
図１４は、アパーチャ円弧体２３０が付加されていること以外は図１３と同様である。各検出器２３２の各個々の検出器素子（ピクセル）は、アパーチャ円弧体スロット２３６のコリメート作用と縦方向コリメートベーン２３８とを組み合わせることにより患者の視野に配向された独自の応答ライン２３４を有することがわかる。
【００４２】
当業者には理解されるように、ベーン２２０は、アパーチャ円弧体内のアパーチャにほぼ垂直な平面内に設けることが好ましい。図１３及び図１４の実施形態では、コリメータのベーンは、これらが患者軸線に「垂直」であるので、「水平」とみなすことができる。再び図１２を参照すると、コリメータ２１０が、角度を付けたアパーチャにほぼ垂直になるように角度が付けられているのがわかる。図が煩雑になるのを避けるため、図１２には５つのコリメートベーン２１０のみが示されている。しかしながら、ベーンは、矢印で示されるように組立体全体に沿って設けられることが理解されるであろう。アパーチャが他の角度で角度を付けられる場合には、ベーン２１０はまた、該アパーチャに対して垂直を保つように角度を付けることができる。もしくは、コリメータベーン２１０及びアパーチャ２０８は、互いに垂直以外の角度をなすようにしてもよい。
【００４３】
Ｘ．分解能及び効率
本発明によるシステムの面内分解能は、検出器及びアパーチャ円弧体の半径ＲD及びＲA、アパーチャ円弧体からの対象物の距離Ｄｉｓｔ、並びにスロット及び検出器素子の幅、それぞれＷslot及びＷdetによって決まる。
【００４４】
【数２】
2006516742.tif 000004
【００４５】
図１５は、従来の平行穴コリメータに対し、本発明の異なる深さ（コリメータから患者の関心のある点までの距離）での分解能をプロットする。スロットを設けた円弧システムのスロット幅は２．４ｍｍ、検出器幅は４ｍｍであり、他のパラメータは図４に関して検討したものと仮定する。データをプロットした平行穴コリメータの穴直径は２．２ｍｍ、コリメータ厚さは３ｃｍである。
【００４６】
スロット付きアパーチャシステムの検出効率は、視野の中心の点源に対する検出器立体角Ωに比例し、Ｒｏｇｅｒｓ（ＩＥＥＥ  ＴＩＭＩ  第ＭＩ−１巻６３〜６８頁、１９８２年）に基づいて計算することができる。即ち、各々、Ｐdetは検出器の比質量偏差、ｆは縦方向コリメートベーンにより閉じられた前部領域の割合である。本発明の構成では、ｆ＝ベーン厚さ／ベーン分離である。
【００４７】
アパーチャ円弧体が検出器に対して異なる位置に移動すると、アパーチャスロットの見かけ上の幅は、スロットと検出器との間の角度の正弦関数として変化することになる。また、スロットから見たときの検出器の見かけの幅も、同様の関数に従って変化するので、全体的な検出効率は、検出器−スロットの角度の正弦の二乗の関数として変化することになる。正確な関数は、検出器素子のフォトン断面（検出器厚さの関数）及びスロットアパーチャのフォトン断面に依存することになる。このスロット位置での検出器感度の変化は、所与の検出器に対して容易にマッピングされ、従来のガンマカメラで定常的に行われる検出器均質補正と同様にしてソフトウェアで補正することができる。
【００４８】
本開示の方法に従って構成されたイメージングシステムは、検出器感度の不均質性が存在する場合には、回転ガンマカメラＳＰＥＣＴシステムに見られる構造化画像アーチファクトに対して比較的感度がない点に留意されたい。本明細書で説明されたシステムにおいて、特定の比較的感度のない検出器素子により引き起こされる低いカウント感度は、従来のシステムに見られる構成化「リング」又は「円弧」アーチファクトとして見えるのではなく、画像平面全体にわたって広がる。こうしたアーチファクトは、現在のアーチファクトシステムを乱す場合が多い。
【００４９】
ＸＩ．コリメータ構成
【数３】
2006516742.tif 000005
当業者には明らかなように、鉛コリメータの構築は相当困難である。鉛は、極めて高密度であるが、あまり剛性がなく、強靭でもない。従って、鉛のベーンは重くて損傷を受けやすい。従来の平行穴コリメータでは、ベーンは極めて薄く作られ、複数の小さな平行穴が形成されている。コリメータの穴の深さは、鉛材料の強度及び剛度により幾分制限される。即ち、特定の深さより深いコリメータが構築されることになる場合には、時間の経過と共に薄い鉛のベーンは実際に撓み、コリメータの有用性が失われる可能性がある。同様の検討事項は本発明にも当てはまる。図１３の２２０及び図１２の２１０などのコリメートベーンは、大きくて重いため、個々のベーンを適切に支持する方法が課題となる。更に、個々のベーンが正確に位置決めされて位置合わせされることが重要である。
【００５０】
本発明の別の発明の態様は、各鉛ベーンの間に放射線透過性材料のシートを配置したスタックで形成されることにより支持された平行な鉛ベーンを備えるコリメータを提供する設計である。図１６は、本発明のこの態様に従って構築された平行なベーンコリメータの一部を示す。また、図１６は、下部支持体２４０及び上部支持体２４２を含む支持構造体の一部を示す。
【００５１】
図１７は、本発明の１つの実施形態による下部支持体２４０及び上部支持体２４２の全体を示す。しかしながら、図１７には、支持フレーム内部のコリメーション組立体は示されていない。図１７を参照すると、下部支持体２４０及び上部支持体２４２が、上部組立体２４４の一部を形成する。この上部組立体２４４は、図１Ａ及び図１Ｂに示すようにイメージング円弧１０６の一部を形成する。これは、図１７に２４５で示す患者の視野の周りを覆う。組み立てられると、イメージング円弧は、支持構造体２４４、その内部に支持された平行なベーンコリメータ、単一又は複数の検出器、及びアパーチャ円弧体を含む。また、これは、内部作業を保護し、審美的に優れた外観にするようにハウジングで覆うことも好ましい。支持構造体２４４の１つの端部は、イメージング円弧を支持するために椅子ベース１０８と相互連結される。これは、種々の方法で達成することができる。或いは、弧の中間に追加の支持体を設けてもよい。
【００５２】
再び図１６を参照すると、平行なベーンコリメーション組立体の一部が２４６で示されている。コリメーション組立体は、放射線透過性材料２５０のシート又はパネルが鉛シート２４８で分離された鉛２４８のシート又はパネルを含む。コリメータ組立体は、鉛シート、次に放射線透過性シートを積み重ね、その後図示するように十分に高いスタックが形成されるまでこの工程を繰り返すことにより形成することができる。放射線透過性材料は、鉛シートの相対的位置決めを維持し、鉛シートのどのような撓み又は移動も防ぐ。好ましくは、鉛シート及び放射線透過性材料のスタックの上部で、且つ上部支持パネル２４２の下に圧縮パネル２５２を設ける。ねじ切り部材２５４のようなバイアス装置を次に設け、圧縮パネル２５２を下向きに押し付ける。これによりスタック２４６が圧縮されて安定化される。好ましくは、スタックの上面又は下面に厚い鉛シート、又は他のフォトン遮断材料２５３を設け、フォトンがコリメータの上面又は下面に入らないように遮断する。
【００５３】
当業者には明らかなように、この組立手順の変更形態を用いて、図１２に示すようなコリメータ組立体を構築することができる。本発明の別の態様によれば、関連する方法を用いて、平行穴コリメータを形成することができる。即ち、平行穴コリメータは、平行穴コリメータの穴を充填する放射線透過性材料を用いて形成し、これにより、コリメータベーンを支持することができる。平行穴コリメータは、穴間の鉛隔膜（ｓｅｐｔａｅ）が脆弱であるので、使用時に損傷を受けることが多い。本発明によれば、コリメータの穴は、構築時に放射線透過性材料で充填することができる。これにより、平行穴コリメータが実質的に中実のブロックになり、これは、損傷に対する耐久性がより高くなる。また、これにより、これ以外の方法で実施されることになるものよりも更に深く及び／又は薄いベーンを形成及び支持することが可能になる。
【００５４】
再び図１７を参照すると、本発明による平行なベーンコリメータを形成する別の方法は、上部及び下部支持部材２４０及び２４２をテンション部材２５６などにより互いに対して伸長することにより提供することができる。即ち、鉛パネルと放射線透過性パネルとの交互スタックを下部支持部材２４０上に配置して、上部支持体パネル２４２で覆い、圧縮又はテンション部材２５６を用いて加圧することができる。本発明による平行ベーンコリメータは極めて重く、従って、片持ち円弧体がかなりの荷重を担うことは当業者には理解されるであろう。図１８は、支持構造が、図示のように左に角度を付けられ、又は右に角度を付けられ、或いは両方である複数の角度付テンション部材２５８を含むことができることを示す。テンション部材は、構造及び支持を提供する際に自転車のスポークのように作動する。また、これらにより、電子機器にアクセスし、且つ冷却するために円弧に対して実質的に後部開放とすることができる。
【００５５】
図１９は、本発明のイメージングセクションの一部の断面図を提供する。これは、底部支持部材２４０、上部支持部材２４２及びその間に位置付けられた鉛シート２４８を示す。放射線透過性材料は、この図には示していない。しかしながら、入射するフォトンを検出するための電子機器パッケージ又は検出器アレイは、全体的に２６０で示されている。この検出器アレイは、以下に更に詳細に論じることにする。
【００５６】
本発明の設計により、これまでコリメータ設計に関して利用不可能であった利点が提供される。従来、コリメータの設計者は、コリメータ穴の深さ対幅比を制限してきた。即ち、コリメータにより定められる穴は、前後間の深さと側部間又は上下間の幅とを有するとみなすことができる。（平行穴コリメータでは、側部間及び上下間の幅は、通常同じである。本発明では、「側部間の幅」はアパーチャ円弧体のアパーチャの大きさの関数であり、上下間の幅は平行なベーン間の間隔の関数である。）先行技術では、深さ対幅比が１０：１より小さいことが最適とみなされてきた。実際、文献では、１０：１比は、無限大比とほぼ同等であると述べられている。言い換えると、深さ対幅比が１０：１を超えることに対して除外理論が教示されている。更に、コリメータの先行技術設計では、深さ対幅比を極めて大きくすることが特別困難になった。深いコリメータには、構造的一体性の問題がある。先行技術設計において大きな深さ対幅比を得るためには、自己支持するには過度に薄く且つ大きなベーンが必要である。従って、大きな深さ対幅比は実現性が無いと教示されている。
【００５７】
本発明は、先行技術の方法とは劇的にかけ離れている。本発明の１つの実施形態では、鉛シートの厚さは、図１６にＡで示されるようにほぼ２ｍｍである。放射線透過性シートの厚さはほぼ４．５ｍｍである。従って、隣接する鉛シート間の「隙間」は、ほぼ４．５ｍｍである。この同じ実施形態では、図１９でＣで示される鉛ベーン２４８の前後間の深さは、ほぼ１５０ｍｍである。この実施形態では、深さ対幅比は、３３：１より大きい。本発明の更に好ましい実施形態では、鉛ベーンの厚さはほぼ１．２５ｍｍである。しかしながら、隙間は、ほぼ４．５ｍｍで同じままである。従って、深さ対幅比は同じままである。本発明によれば、深さ対幅比は、先行技術の最大値である１０：１より大きいことが好ましい。更に好ましくは、深さ対幅比は２０：１より大きい。更に好ましくは、深さ対幅比は、３０：１を超える。
【００５８】
本発明によれば、鉛ベーンの厚さが０．５ｍｍより大きいことも好ましい。更に好ましくは厚さが０．７５ｍｍより大きく、更に好ましくは厚さが１ｍｍ又はそれ以上であり、最も好ましくは厚さが少なくとも１．２５ｍｍである。これらの厚さもまた、先行技術とは劇的にかけ離れている。先行技術の高分解能の平行穴コリメータは通常、厚さが０．２ｍｍ以下の鉛ベーンを有し、鉛ベーンを更に薄くするために相当な労力が費やされている。
【００５９】
先行技術よりも実質的に大きな深さ対幅比を用いること、並びに実質的に厚い鉛ベーンを用いることにより、先行技術では認められず評価もされなかった有意な利点が得られる。
【００６０】
ＳＰＥＣＴイメージングでは、フォトンが進む方向、フォトンのエネルギーレベル、及びその方向から来るフォトンの数を正確に求めることが重要である。これらのフォトンは、鉛が十分に厚くない場合には透過するのに十分なエネルギーを有する。先行技術の平行穴コリメータでは、薄い鉛ベーンは通常、フォトンの多くが貫通するのを止めるには薄すぎる。従って、特定の領域に衝突するフォトンは、その領域に隣接する穴から真っ直ぐ下に進むと仮定することはできない。代わりに、フォトンは、異なる穴で発生し、隣接する穴と検知される穴との間の鉛ベーンを透過する可能性がある。その結果、精度が犠牲になる。これにより、結果として得られる画像にぼけが生じる。また、コリメータの穴の深さ対幅比もイメージング装置の分解能に影響を及ぼす。コリメータ穴が短く幅広である場合には、フォトンは、穴の軸線から十分に離れた角度でこの穴に入ることができる。穴が深く幅狭である場合には、この穴の直ぐ下に進む入射フォトンの角度の範囲は遥かに狭くなる。
【００６１】
本発明では、実質的に厚いベーンを用いると共に、極めて大きな深さ対幅比を有するコリメータを用いることにより、精度又は分解能が実質的に増大することになる。ベーンが厚く深さが極めて深いので、コリメータの後部でセンサに到達する任意のフォトンは、アパーチャ円弧体のアパーチャを透過し、且つ隣接する鉛ベーンの間を通過したと仮定することができる。言い換えると、各フォトン「カウント」が良好なカウントになる。
【００６２】
また、先行技術では、本発明よりも遥かに小さい隙間を用いる傾向がある。本発明の実験では、４又は４．５ｍｍのオーダーの大きな隙間を厚い鉛ベーンと共に用いると精度及び分解能が高くなることが示された。本発明の別の態様として、２ｍｍより大きな隙間を用いることが好ましく、更に３ｍｍより大きな隙間が好ましく、最も好ましくは４ｍｍ又はそれ以上の隙間である。
【００６３】
再び図１９を参照すると、センサアレイ２６０は、コリメーション組立体の後部に隣接して位置付けられる。幾つかの実施形態において、個々のセンサは、ベーンの最後部端の直ぐ隣りに位置付けられ、他の実施形態では、センサは、ベーンの後部から短い距離だけ間隔を置いて配置される。ベーン２４８の後部とセンサとの間の隙間が増大すると、フォトンがベーンで遮断されることにより引き起こされる有効な暗黒領域が幾分減少する。好ましい１つの実施形態では、センサは、ベーンの後部から２〜３ｍｍだけ間隔を置いて配置される。
【００６４】
ＸＩＩ．延長フラップ
図１及び図４に示すように、心臓イメージングに最適な実施形態では、円弧形状のイメージング機器を用いて、患者がイメージングシステムに容易に出入りできるようにする。しかしながら、アパーチャ円弧体が回転すると、円弧の開放領域内に僅かに延びることになる。従って、本発明には、図２０Ａ及び図２０Ｂに示すように、任意選択的にアパーチャ円弧体の一方又は両方の端部に位置決めされることになる枢動延長フラップを設ける。この図は、その長さを延びる延長ベーン３０２を含むアパーチャ円弧体３００の一方の端部を示している。図２０Ａは、円弧の移動の一方の末端位置のアパーチャ円弧体３００及びベーン３０２を示しており、図２０Ｂは、別の末端位置でのアパーチャ円弧体３００及びベーン３０２を示している。延長ベーン３０２は、ヒンジ３０４によりアパーチャ円弧体に移動可能に取り付けられる。枢動ロッド３０６は、アパーチャ円弧体が移動することにより延長ベーンが該ロッドに押し付けられると、図２０Ｂに示すように延長ベーンを枢動させて患者から離れるようにベーンの経路に配置される。これは、円弧又はベーンの開口への延長を最小にしながら、検出器を望ましくない外部放射から遮蔽する。
【００６５】
ここで図２１を参照すると、アパーチャ円弧体の１つの好ましい構造が示されている。アパーチャ円弧体は、３１０で示されており、イメージング円弧の支持構造体の底部を形成する支持部材２４０上に支持されている。この実施形態では、アパーチャ円弧体３１０は、間にアパーチャ３１４を設けるように互いに隣接して位置付けられた個々の弓形パネル３１２で形成される。アパーチャ３１４の幅は、パネル３１２の相対位置により定めることができる。アパーチャ円弧体３１０は、支持部材２４０の軌道内で支持され、一連のベルト及びプーリーを駆動する駆動モータ３１６により移動する。
【００６６】
ＸＩＩＩ．検出器の変形形態
ここで検出器設計に移ると、本発明に種々の方法を用いることができる。図２及び図３は、１次元の直線状アレイとみなすことができるストリップ検出器を示している。また、本発明では２次元アレイも提供される。このようなアレイは、一体型ユニットとして設けることができ、或いは、２つ又はそれ以上の１次元アレイを極めて近い距離で配置することにより近似することもできる。イメージングシステムの全体感度は、利用可能な検出器表面積に直線的に比例する。
【００６７】
図２２〜図２４を参照すると、本発明に用いるセンサ組立体の好ましい実施形態の３つの図が全体的に３２０で示されている。図２３に最もよく示されるように、組立体３２０は、３つの２次元センサアレイ３２２、３２４、及び３２６を含む。各センサアレイは、図２４の３２８のような一連のセンサモジュールから形成される。センサモジュールは、固体ＣＺＴ（テルル化カドミウム亜鉛）であり、或いは代替としてテルル化カドミウムを用いてもよい。図２５は、センサモジュール３２８のうちの１つの断面図を示す。モジュールは、前面に複数の小さな薄い正方形電極３３２を備えたＣＺＴの中心本体３３０を有する。後部表面には大きな電極が設けられ、符号３３６の後部には、センサからのデータ信号を処理するためのチップが備えられている。フォトンは、センサモジュール３２８の前部表面に衝突し、モジュールにより感知される。図２６は、チップ３３８が検知材料３４０により半分だけ覆われた別の実施形態を示す。また、図２６は、モジュールの面上の電極３４２の構成を示している。
【００６８】
図２２及び図２４は、感知組立体のための冷却マニホルド３４６を示す。
【００６９】
当業者には公知のように、固体フォトンセンサは、内部傷を生じること無く作ることは困難である。図２５を参照すると、ＣＺＴ材料の本体３３０は、生成又は製造中に傷を生じる可能性がある結晶体である。本体３３０に傷がない場合には、前面を通過してＣＺＴ本体３３０に入るフォトンにより、このフォトンの存在を電極３３２及び３３４により検知することが可能となる。図２６に示すように、電極３４２は２次元のグリッドを定める。その結果、フォトンが衝突する位置は、どの電極がフォトンの存在を検知するかを割り出すことにより求めることができる。ＣＺＴに傷がある場合には、フォトンが衝突する箇所が検知されないデッドスポットが存在する可能性がある。典型的には、ＣＺＴ本体の前部上の電極は、１つの電極が情報の１つの「ピクセル」を感知する役割を負うような大きさ及び間隔にされる。典型的には、ピクセルの大きさは、感知システムの所望の分解能に等しくなるように選択される。心臓の感知では、分解能がほぼ４〜４．５ｍｍであることが好ましい。従って、電極は、通常は中心が４〜５ｍｍに配列され、１つの電極が各「ピクセル」に対処するようになる。ＣＺＴに傷がある場合には、この傷によりデッドピクセルが生じる場合があり、これが画像品質に重大な影響を及ぼす可能性がある。
【００７０】
本発明の別の態様によれば、所望の分解能（この場合には４〜４．５ｍｍ）は、更に小さなセグメントに分割され、更に小さな電極が使用される。図２６では、ボックス３５０は、ほぼ４〜５ｍｍ幅及び高さの領域を表す。しかしながら、この領域に単一電極を有するのではなく、この「マクロピクセル」は、各々が自己電極３５２を備えた４つのピクセルに分割される。マクロピクセル３５０の下のＣＺＴに傷がある場合には、該傷により通常は電極３５２の１つに関連する１つのピクセルのみが不良となる。例えば、４つの電極の１つは、感度のない、又は感度が低い、或いは稀には感度の高いＣＺＴの一部と関連付けることができる。次に、センサモジュールを較正し、４つの電極３５２からのデータを処理してマクロピクセル３５０から意味のあるデータを得ることができる。例えば、１つの電極が故障しているピクセルに関連する場合には、残りの３つのピクセルからの出力を組み合わせて、３／４を乗算し、マクロピクセル３５０に対する出力を得ることができる。このように、ＣＺＴ本体を有するセンサモジュールに幾つかの傷があっても尚使用可能である。図２６のモジュールでは、電極３５２は、側部間及び上下間の寸法はほぼ２．４６ｍｍであり、隣接する電極の間隔はほぼ．０４ｍｍである。特に心臓用途に最適化された別の好ましい実施形態では、電極間のピッチはほぼ２．２５ｍｍである。再び図１９を参照すると、センサ組立体２６０は、鉛ベーン２４８の後部に隣接して示されている。図２７は、ベーン３６２を通してみたセンサアレイ３６０の図を示す。幾つかの実施形態において、ベーン３６２間のピッチは、電極３６４間のピッチで均等には割り切れない。例えば、１つの実施形態では、ベーン３６２間のピッチはほぼ６．５ｍｍであるが、電極３６４間のピッチはほぼ２．５ｍｍである。ベーンとピクセルとの間の位置合わせによるモアレパターンを避けるために、ベーン間の各隙間のピクセルの数はほぼ同じであることが望ましい。この実施形態では、ベーンのピッチがピクセル又は電極の倍数ではないので、センサアレイ３６０は、中央のベーン３６６に中心を有するように配列される。図２７に示すように、この配列により、電極、従ってピクセルがベーン３６２の１つの直ぐ後ろに位置することが防止される。
【００７１】
本発明はまた、付随する光電子増倍管又は固体光ダイオードなどの他の光検出器を伴う、ヨウ化ナトリウム又はヨウ化セシウムのようなシンチレーション材料から構築される放射線検出器を提供する。図２８は、シンチレーションベースの検出器モジュール４００の１つの実施形態を示す。この実施形態は、アルミニウムなどの放射線透過性で光反射性の被覆物４０４で覆われたシンチレーション材料の円筒形結晶体４０２を含む。被覆物４０４は、円筒体の両端が開いている。各短端部に光カップリング材料を介して取り付けられているのは、光電子増倍管、光ダイオード、又は他の光検出器（図示せず）などといった光検出器である。シンチレーション材料内で生じるシンチレーション事象の位置は、２つの光検出器の出力比により求められ、従って、検出器内の縦方向位置が感知される。この実施形態は、製造が極めて安価であるが、円形断面にわたってシンチレーション厚さが変化することにより、水平方向寸法にわたりフォトン検出効率の変化が生じるという欠点がある。これにより、検出器の応答関数の偏差が正直角関数から偏移し、従って空間分解能が僅かに低下することになる。
【００７２】
図２９Ａ−Ｃ−ｃは、アルミニウムなどの放射線透過性で光反射性材料４２２で覆われたシンチレータ材料の矩形バー４２０からなるシンチレータベースの検出器の更に効率的な実施形態を示す。図２９Ｂでは、被覆物は、光検出器４２４を配置することができるように上面及び下面が開放されている。図２９Ｃに示す別の実施形態では、被覆物は、モジュールの後部で開放され、２つ又はそれ以上の光検出器４２６を固定できるようにする。何れの場合でも、光検出器は、シンチレーション材料の端部に隣接するとみなされるため、シンチレーション事象の位置を特定することができる。
【００７３】
図３０は、上記図と同様に、反射材料４３２で覆われた台形断面を有するシンチレータ材料４３０の要素を示す。図２９Ａ〜図２９Ｃの実施形態と同様に、光検出器は、モジュールの上面及び下面又は後面の何れかに固定することができる。台形断面を有する実施形態では、入射放射線に対する断面が更に均等になるという利点があるが、製造コストが高くなる。即ち、前面に角度を成して入射する放射線は、依然としてシンチレータ材料の全深さに遭遇する。
【００７４】
断層撮影システムの軸方向分解能は、上述のように検出器の幅に直接依存する。詳細には、検出器の幅が狭い程、システムの軸方向分解能が増大する。しかしながら検出器の幅が狭くなるにつれ、幅の狭い検出器の前面に衝突するフォトンは、その全てのエネルギーを蓄積させる前に検出器材料から散乱する可能性があるので、フォトン検出効率が低下する。本発明によれば、高分解能のシンチレーション材料の細長いストリップの効率は、その前面の一部をマスクすることにより改善することができる。図３１Ａは、シンチレーション材料の矩形要素に基づく検出器構成４４０を示す。図３１Ｂは、シンチレーション材料の円筒形要素に基づく検出器構成４４２を示す。図３１Ｃは、台形断面のシンチレーション材料要素に基づく検出器構成４４を示す。これらの実施形態の各々においては、反射被覆物４４６に加えて、シンチレータは、鉛、タングステン又は同様の高減衰材料の付加的なマスク層４４８で覆われる。この外部マスク又は遮蔽層は、検出器断面に対して望ましい寸法の幅の狭い垂直開口４５０を有するように構成される。フォトンが開口を通過してシンチレーに衝突すると、シンチレータ材料の外側で散乱するのではなく、マスク４４８の開口４５０の後部に位置する大容量のシンチレータ内で更に散乱が生じる可能性が高い。所望であれば、低Ｚ材料（図示せず）の付加的な層を被覆層と遮蔽層との間に介在させ、マスク４４８によって照射される二次鉛Ｘ線を吸収するようにすることができる。当業者には明らかなように、図３１Ｄに示す検出器では、幅の狭い検出器の高分解能を有する幅広の検出器の効率が改善されている。図２に示すような固体検出器に対して同様のマスキングを適用することにより、同様の利点を得ることができる。
【００７５】
図３４を参照すると、同様のマスキング方法をシンチレーション材料の２次元要素に適用し、上述の利点を有する検出器４５２を形成することができる。詳細には、シンチレーション材料４５４の要素は、ストリップ４５６でその面に施した鉛マスクを有する。幅の狭い垂直方向開口４５８は、該開口と位置合わせしたフォトンが入ることができるようにされる。図１４〜１４ｃの実施形態のように、これにより精度が向上する。光検出器４５９は、シンチレーション材料４５４の後部に位置付けられ、「アンガー論理」のような手段により、どこで光のパルスが生じるかを検出することができる。面の一部がマスクされているので、電子機器は、フォトンがマスク領域内に衝突しなかったことを「認識」しており、従って、衝突位置を更に正確に特定することができる。検出器表面の特定の部分をマスクすることにより、実際には、光の所与のパルスの位置の不確実性が減少し、従って、その位置を更に正確で精密に求めることができる。
【００７６】
図３２は、上記の図で説明したが、光カップリング材料４６４を用いることにより光検出器４６２を後面に取り付けたバー形のマスク検出器モジュール４６０の構造を詳細に示す。固体検出器モジュールにも同様のマスキング構成を用いることができる。
【００７７】
当業者には明らかなように、種々の形式の光検出器は幾分高価である。従って、必要な数を減らすことが望ましい。本発明の別の実施形態によれば、シンチレーションベースの検出器の各々には、１つのファイバーを検出器の各端部に連結して１ペア又はそれ以上の光ファイバーを取り付けることができる。ファイバーは、上面及び下面及び／又は上面及び下面に隣接する背面に連結することができる。次に、光ファイバーは、位置感度を有する形式の光電子倍増管まで通すことができる。これらの容易に入手可能な多重チャネル光電子倍増管は、個々の管の面にわたる複数の位置に対して識別可能な出力を生成することができる。このような光電子倍増管は、次いで、種々の検出器から走る多数の光ファイバーからの光パルスを感知することができる。このようにして、光検出器の総数が削減される。同様な方法を２次元のシンチレーションベースの検出器に適用することができる。材料の後部に装着された光検出器を用いるのではなく、複数の光ファイバーを用いて、光を多重チャネル検出器まで通すことができる。
【００７８】
上記で検討したように、シンチレーションベースの検出器のコアを形成するシンチレーション材料の要素は、アルミニウムなどの放射線透過性で光反射性の材料で覆われる。これにより、光検出器で感知される光パルスの輝度が増大する。しかしながら状況によっては、この反射性は、フォトンがシンチレーション材料に衝突する縦方向位置を求める光検出器の能力を妨げる可能性がある。従って、シンチレーション材料の１つ又はそれ以上の表面の反射率を低減することが有利である可能性がある。この目的のため、被覆する前に表面を粗くすることができ、又は被覆物の特定の領域を粗くすることもでき、或いはシンチレーション材料又は被覆物の何れかに低反射率コーティングを塗布することもできる。或いは、反射体の長さに沿って反射率を変えることが望ましい場合もある。例えば、シンチレーション材料の片側の表面上の粗いストリップは、検出器の長さに沿って幅を変えることができる。ストリップは、中心の幅を狭くして、反射率を高いまま保持し、端部近傍では幅を広くして反射率が減少するようにすることができる。これにより、中心近傍の事象が端部で検出される可能性が高くなる。
【００７９】
ＸＩＶ．検出器及び円弧を両方移動させることができる
検出器モジュールの間隔が疎である場合には、本システムにより行われる角度サンプリングのパターンに隙間が見られる。このような隙間の重要性は、アパーチャ円弧体が移動するときに得られるデータの角度「ビン」の数に依存する。加えて、不完全な角度サンプリングにより引き起こされるアーチファクトの有意性は、臨床環境によって決まる。このようなアーチファクトが好ましくない場合には、本発明は、任意選択的に限定された角度範囲５０２を通して検出器モジュー５００の円弧を回転させるための手段（図３３）を提供し、このような移動は、連続的又は限定された数の不連続な段階の何れかで生じる。検出器の円弧の移動範囲は、検出器間の間隔に等しい。検出器移動の各段階で、アパーチャ円弧体５０４は移動５０６の範囲にわたって移動する。このように、検出器母集団が疎であっても角度投影の完全なセットを得ることができる。
【００８０】
或いは、本発明による断層撮影システムは、システムのコストを低減するために少数の検出器を備えることができる。本システムは、分解能が低下することになるか、スキャン時間の増大を必要とすることになるかの何れかである。後で、既存の検出器間の位置に付加的な検出器を付加することによりシステムをアップグレードすることができる。
【００８１】
ＸＶ．較正
当業者には公知のように、核医学イメージング装置には定期的な較正が必要である。典型的な平行穴のガンマカメラでは、較正を行うために片側に放射性物質を有する材料のシートをコリメータの面に接触させて位置付ける。本発明では様々な問題が生じる。管状放射線源は患者軸線に位置決めすることができる。しかしながら、幾つかの位置にわたって各円弧位置で長い照射時間を必要とするため、較正は極めて時間がかかることになる。また、このことにより、較正工程の間に室内が許容できない放射線レベルになる。図３５は、好ましい較正方法を示す。アパーチャ円弧体の一部を５１０で示し、アパーチャを５１２で示す。較正部材５１４は、アパーチャ５１２に隣接して位置付けられる。これは円弧形状であり、図示したものよりも小さな半径及び曲率であってもよい。内側表面５１６は、その上に放射性材料を有し、該放射性材料によりフォトンがアパーチャ５１２を通って進むように位置決めされる。これによって、放射性材料が、アパーチャを「見る」ことができるセンサの全視野を覆うことになる。明らかに、複数の較正部材５１４が用いられ、１つがアパーチャの各々に配置される。これによって装置を迅速に較正することができ、較正装置をコンパクトに収納することができ、放射線への露出を最低限にすることができる。
【００８２】
ＸＶＩ．代替構成
上記で説明した本発明の実施形態は、検出器アレイ、コリメータ、及び遮断部材の各々の形状が弓形であるように仕様が定められている。当業者には明らかであるように、他の形状も可能である。例えば、検出器は、矩形又は正方形配列にレイアウトすることもできる。遮断部材及びコリメータも同様の形状にすることができる。別の実施例として、ストリップ又は２次元の検出器の何れかのセットは、視野の周りの種々の位置で直線の列に配列することができる。この方法は、２次元の検出器５２０を用いて図３６に示される。検出器５２０の各列は、これらの前に位置付けられた直線シートの形態の遮断部材５２２を有する。遮断部材５２２は、貫通して形成されたスロット５２４のようなアパーチャを有し、矢印Ｄで示されるように移動し、ライン又は応答が視野を掃引するようにする。また、本明細書の他の実施形態で検討したコリメータを備えることもできる。更に別の形態では、検出器は、ストリップ又は２次元の何れであっても、図３６に示すように配置することができ、円弧又はリング形状の遮断部材を用いることができる。この配列、又は図３６の配列は、１８０度と３６０度との間の円弧を覆うことができる。これらの実施形態では、２次元の検出器を用いる場合には、ガンマカメラに用いるような従来の大きな２次元の検出器を幾つかの（好ましくは４つの）要素に切り分け、これらの実施形態に必要な小さな２つの２次元検出器を得る。これにより構成要素の合計コストが低減される。
【００８３】
用途によっては、本発明のシステムは、他の付属物を含むことができる。例えば、心臓作業では、患者に運動を行わせることにより心臓にストレスをかけることが望ましい場合がある。この目的で、システムは、永久的又は取り外し可能の自転車エルゴメータを含むことができる。また、本システムは、心電図及び／又は組込み型心臓細動除去器を含むことができる。また、静脈輸液ポンプを含めることもでき、取り付けることも可能である。
【００８４】
開示された好ましい実施形態に関する他の変形形態は当業者には明らかであろう。本発明の範囲を定めるのは全てのその均等物を含む請求項である。
【図面の簡単な説明】
【００８５】
【図１ａ】システムの全体構成及び患者の位置決めを示す、心臓ＳＰＥＣＴに最適な本発明の好ましい実施形態の斜視図である。
【図１ｂ】図１ａの実施形態の付加的な斜視図である。
【図２】ＳＰＥＣＴイメージング中にフォトンを検出するための個々の検出器モジュールの１つの実施形態の斜視図である。
【図３】相対的位置関係を実際に示すために円単一の放射線検出器モジュールが弧の後部に示された、心臓ＳＰＥＣＴ用に最適化された本発明の実施形態のアパーチャ円弧体の斜視図である。
【図４】アパーチャ縁部処理の１つの実施形態を詳細に示す、アパーチャ円弧体の小さい部分の断面詳細図である。
【図５】縁部の詳細の別の実施形態を示す図４と同様の断面詳細図である。
【図６】縁部の詳細の更に別の実施形態を示す図４及び図５と同様の詳細図である。
【図７】調整可能な幅を備えたアパーチャを提供する調整可能端部要素を含むアパーチャ円弧体の一部の断面詳細図である。
【図８】アパーチャ円弧体の一部及び１つの調整可能な端部要素の斜視図である。
【図９Ａ】スロット付きアパーチャ円弧体、検出器の円弧及び患者の視野の相対位置決めを示す概略平面図である。
【図９Ｂ】個々の検出器の応答ラインがどのように本体を通って複数の角度投影を行うかを示す概略平面図である。
【図１０Ａ】単一の検出器モジュールと、アパーチャ円弧体の第１の回転位置でのアパーチャ円弧体の小部分との概略平面図である。
【図１０Ｂ】図ｌ０Ａと同様であるがアパーチャ円弧体が第２の位置にある図である。
【図１０Ｃ】図１０Ａ及び図１０Ｂと同様であるがアパーチャ円弧体が第３の位置にある図である。
【図１１Ａ】本発明の概略平面図である。
【図１１Ｂ】本発明の概略平面図である。
【図１１Ｃ】本発明の概略平面図である。
【図１１Ｄ】本発明の概略平面図である。
【図１１Ｅ】本発明の概略平面図である。
【図１１Ｆ】本発明の概略平面図である。
【図１２】アパーチャ円弧体及び角度を付けたコリメータベーンを含む本発明のためのイメージングセクションの別の実施形態の部分透視斜視図である。
【図１３】検出器モジュールとの関係を示す断面（縦方向）コリメーション組立体の斜視図である。
【図１４】図１３と同様であるが、アパーチャ円弧体を含み、１つの検出器モジュールからの応答ラインを示す図である。
【図１５】従来の「高分解能」平行穴コリメータに対する本発明を用いた様々な深さでの面内空間分解能のプロットである。
【図１６】本発明による平行ベーンコリメータの一部の断面図である。
【図１７】本発明によるイメージング円弧の１つの実施形態に対する支持構造体の斜視図である。
【図１８】図１７と同様で、付加的にテンション部材を備えた支持構造体の斜視図である。
【図１９】コリメータベーンの相対深さを示す、本発明による平行ベーンコリメータの一部及びセンサ組立体の断面図である。
【図２０Ａ】可動アパーチャ円弧体の延長ベーンの１つの実施形態の断面平面図である。
【図２０Ｂ】ベーンが異なる位置で示された図２０Ａと同様の図である。
【図２１】本発明の１つの実施形態による下部支持部材の一部及びアパーチャ円弧体の一部の斜視図である。
【図２２】本発明に用いるためのセンサ組立体の後面斜視図である。
【図２３】図２２のセンサ組立体の前面斜視図である。
【図２４】図２２〜図２３のセンサ組立体の側面図である。
【図２５】センサモジュールの一部の断面詳細図である。
【図２６】センサモジュールの1つの実施形態の正面図である。
【図２７】コリメータ組立体を通して見た１対のセンサアレイの図である。
【図２８】シンチレータベースの円筒形検出器モジュールの１つの実施形態の一部の斜視図である。
【図２９Ａ】シンチレーション材料の矩形バーの形の要素を用いた検出器モジュールの別の実施形態の斜視図である。
【図２９Ｂ】上面及び下面に光検出器を備えた図２９Ａのモジュールの側面図である。
【図２９Ｃ】図２９Ｂと同様であるが、光検出器がシンチレーション材料の背面に位置決めされている図である。
【図３０】台形断面のシンチレーション材料のブロックを有する検出器モジュールの斜視図である。
【図３１Ａ】シンチレーション材料の矩形要素に基づくマスク検出器構成の斜視図である。
【図３１Ｂ】シンチレーション材料の円筒形要素に基づくマスク検出器構成の斜視図である。
【図３１Ｃ】台形断面のシンチレーション材料の要素に基づくマスク検出器構成の斜視図である。
【図３２】図３１Ａと同様であるが、光検出器がその背面に沿って配置されるバー形状のマスク検出器モジュールの構成の詳細を示す斜視図である。
【図３３】本発明の１つの実施形態のための同時に起こる検出器及びアパーチャ円弧体運動の方向の概略図である。
【図３４】本発明によるマスキングストリップを有する２次元のシンチレーションベースの検出器の斜視図である。
【図３５】較正モジュールがアパーチャにより配置されたアパーチャ円弧体の一部の斜視図である。
【図３６】２次元の検出器及び直線状遮断部材を利用する本発明の更に別の実施形態の概略平面図である。
【符号の説明】
【００８６】
１０２  患者
１０４  出入り用開口部
１０６  イメージングセクション
１０８  スタンド
１１０  ベース
2006516742.tif 000006
【図２】
2006516742.tif 000007
【図３】
2006516742.tif 000008
【図４】
2006516742.tif 000009
【図５】
2006516742.tif 000010
【図６】
2006516742.tif 000011
【図７】
2006516742.tif 000012
【図８】
2006516742.tif 000013
2006516742.tif 000014
2006516742.tif 000015
【図１１Ａ】
2006516742.tif 000016
2006516742.tif 000017
【図１１Ｃ】
2006516742.tif 000018
【図１１Ｄ】
2006516742.tif 000019
2006516742.tif 000020
2006516742.tif 000021
【図１２】
2006516742.tif 000022
【図１３】
2006516742.tif 000023
【図１４】
2006516742.tif 000024
【図１５】
2006516742.tif 000025
【図１６】
2006516742.tif 000026
【図１７】
2006516742.tif 000027
【図１８】
2006516742.tif 000028
【図１９】
2006516742.tif 000029
2006516742.tif 000030
【図２１】
2006516742.tif 000031
【図２２】
2006516742.tif 000032
【図２３】
2006516742.tif 000033
【図２４】
2006516742.tif 000034
【図２５】
2006516742.tif 000035
【図２６】
2006516742.tif 000036
【図２７】
2006516742.tif 000037
【図２８】
2006516742.tif 000038
2006516742.tif 000039
【図３０】
2006516742.tif 000040
2006516742.tif 000041
【図３２】
2006516742.tif 000042
【図３３】
2006516742.tif 000043
【図３４】
2006516742.tif 000044
【図３５】
2006516742.tif 000045
【図３６】
2006516742.tif 000046
【国際調査報告】
2006516742.tif 000047
2006516742.tif 000048